(57)【要約】      （修正有）【課題】コストを抑えることができるとともに、化粧用具等を自動で突出させることができる収納容器を提供する。【解決手段】棒状化粧料又は化粧用具２のいずれかを保持する皿部材３と、該皿部材の下部に取り付けられた中空の可動軸４と、該可動軸に挿入される挿入部５を有するハカマ部材と、該ハカマ部材の外周部に設けられ、前記ハカマ部材、可動軸及び皿部材の外周を覆うとともに、係止部を有する誘導溝が形成された身部材９と、前記誘導溝を通過して前記皿部材に取り付けられた作動ピン１０と、前記皿部材を上方に付勢する付勢手段１１とで構成され、可動軸の内部の空気の流れを制御することにより、皿部材の上昇速度を制御することができることを特徴とする。【選択図】図１
2020156830.tif 000002
【特許請求の範囲】
【請求項１】
棒状化粧料又は化粧用具のいずれかを保持する皿部材と、該皿部材の下部に取り付けられた中空の可動軸と、該可動軸に挿入される挿入部を有するハカマ部材と、該ハカマ部材の外周部に設けられ、前記ハカマ部材、可動軸及び皿部材の外周を覆うとともに、係止部を有する誘導溝が形成された身部材と、前記誘導溝を通過して前記皿部材に取り付けられた作動ピンと、前記皿部材を上方に付勢する付勢手段とで構成され、可動軸の内部の空気の流れを制御することにより、皿部材の上昇速度を制御することができる収納容器。
【請求項２】
前記ハカマ部材の挿入部は、その上端部付近にフランジ部が形成され、該フランジ部の外径は前記可動軸の内径と略同径に形成されており、前記付勢手段は、その下端部が前記フランジ部又は前記挿入部の上部に当接し、その上端部が前記可動軸の上端部に当接する付勢スプリングと、前記挿入部の上端まで連通するように前記挿入部の外周面に設けられた空気流入量調節手段とで構成されることを特徴とする請求項１に記載の収納容器。
【請求項３】
前記可動軸には、中空の内部に連通する空気穴が形成されるとともに、該空気穴から排気可能でかつ、空気穴から空気が流入しない逆止弁機構を備えていることを特徴とする請求項１又は請求項２のいずれかに記載の収納容器。
【請求項４】
前記ハカマ部材の挿入部は、その上端部付近に、大径部が形成され、該大径部の外径は前記可動軸の内径と略同径に形成されており、前記付勢手段は、その下端部が前記大径部に当接し、その上端部が前記可動軸の上端部又は皿部材に当接する付勢スプリングと、前記大径部を上下方向に貫通する下降用空気穴と、該下降用空気穴と連通し、前記大径部の底面に貫通する前記下降用空気穴よりも小径の上昇用空気穴と、前記皿部材が上昇する際には下降用空気穴から空気が流入しないように塞ぐことができ、かつ、前記皿部材が下降する際には前記下降用空気穴から空気を排出可能に設けられたパッキンとで構成されることを特徴とする請求項１に記載の収納容器。
【請求項５】
前記誘導溝には、前記作動ピンを係止することができる中間係止部が設けられていることを特徴とする請求項１乃至請求項４のいずれかに記載の収納容器。
【請求項６】
前記誘導溝は、前記作動ピンの上昇時には前記作動ピンが前記中間係止部に係止され、かつ、前記作動ピンの下降時には前記中間係止部に係止されることなく前記作動ピンを下降させることができる形状に形成されていることを特徴とする請求項５に記載の収納容器。
【発明の詳細な説明】
【技術分野】
【０００１】
本発明は、口紅等の棒状化粧料やブラシ等の化粧用具を保持する収納容器に関する。
【背景技術】
【０００２】
従来、主に化粧用具や棒状化粧料等を収納できるとともに、該化粧用具が自動的に突出する収納容器としては、モーターを備え、このモーターを作動させることによって皿部材を動かし、棒状化粧料を出没させる棒状化粧料電動繰出容器が知られている（特許文献１）。
【０００３】
しかしながら、モーターを用いる場合には、構造が複雑となり、重量が重くなるとともに高コストとなってしまうという欠点があった。
【先行技術文献】
【特許文献】
【０００４】
【特許文献１】特開２０１３−０８５７０６号公報
【発明の概要】
【発明が解決しようとする課題】
【０００５】
本発明は以上のような従来の欠点に鑑み、コストを抑えることができるとともに、化粧用具等を自動で突出させることができる収納容器を得ることを目的としている。
【課題を解決するための手段】
【０００６】
上記目的を達成するために、本発明の請求項１に記載の収納容器は、棒状化粧料又は化粧用具のいずれかを保持する皿部材と、該皿部材の下部に取り付けられた中空の可動軸と、該可動軸に挿入される挿入部を有するハカマ部材と、該ハカマ部材の外周部に設けられ、前記ハカマ部材、可動軸及び皿部材の外周を覆うとともに、係止部を有する誘導溝が形成された身部材と、前記誘導溝を通過して前記皿部材に取り付けられた作動ピンと、前記皿部材を上方に付勢する付勢手段とで構成され、可動軸の内部の空気の流れを制御することにより、皿部材の上昇速度を制御することができることを特徴とする。
【０００７】
本発明の請求項２に記載の収納容器の前記ハカマ部材の挿入部は、その上端部付近にフランジ部が形成され、該フランジ部の外径は前記可動軸の内径と略同径に形成されており、前記付勢手段は、その下端部が前記フランジ部又は前記挿入部の上部に当接し、その上端部が前記可動軸の上端部に当接する付勢スプリングと、前記挿入部の上端まで連通するように前記挿入部の外周面に設けられた空気流入量調節手段とで構成されることを特徴とすることを特徴とする。
【０００８】
本発明の請求項３に記載の収納容器の前記可動軸には、中空の内部に連通する空気穴が形成されるとともに、該空気穴から排気される空気量を調節する排気量調節手段を備えていることを特徴とする。
【０００９】
本発明の請求項４に記載の収納容器の前記ハカマ部材の挿入部は、その上端部付近に、大径部が形成され、該大径部の外径は前記可動軸の内径と略同径に形成されており、前記付勢手段は、その下端部が前記大径部に当接し、その上端部が前記可動軸の上端部又は皿部材に当接する付勢スプリングと、前記大径部を上下方向に貫通する下降用空気穴と、該下降用空気穴と連通し、前記大径部の底面に貫通する前記下降用空気穴よりも小径の上昇用空気穴と、前記皿部材が上昇する際には下降用空気穴から空気が流入しないように塞ぐことができ、かつ、前記皿部材が下降する際には前記下降用空気穴から空気を排出可能に設けられたパッキンとで構成されることを特徴とする。
【００１０】
本発明の請求項５に記載の収納容器の前記誘導溝には、前記作動ピンを係止することができる中間係止部が設けられていることを特徴とする。
【００１１】
本発明の請求項６に記載の収納容器の前記誘導溝は、前記作動ピンの上昇時には前記作動ピンが前記中間係止部に係止され、かつ、前記作動ピンの下降時には前記中間係止部に係止されることなく前記作動ピンを下降させることができる形状に形成されていることを特徴とする
【発明の効果】
【００１２】
以上の説明から明らかなように、本発明にあっては次に列挙する効果が得られる。
（１）請求項１に記載された発明においては、付勢手段の付勢力により皿部材を適切な速度で上昇させることができる。
したがって、自動で化粧用具等を突出させることができる。
（２）また、構造が簡単なので軽量かつ低コストで収納容器を製造することができる。
（３）請求項２に記載された発明も前記（１）、（２）と同様な効果が得られるとともに、付勢手段に空気流入量調節手段を備えているので、適切な速度で皿部材を上昇させることができる。
（４）請求項３に記載された発明も前記（１）〜（３）と同様な効果が得られるとともに、空気穴と逆止弁機構を備えているので、容易に皿部材を押し下げることができる。
（５）請求項４に記載された発明も前記（１）、（２）と同様な効果が得られるとともに、下降用空気穴、上昇用空気穴及びパッキンとで付勢手段を構成しているので、容易に皿部材を押し下げることができ、適切な速度で皿部材を上昇させることができる。
（６）請求項５に記載された発明も前記（１）〜（５）と同様な効果が得られるとともに、中間係止部に作動ピンを係止させることにより、作動ピンの上昇を途中で止めることができる。
したがって、皿部材を上死点よりも下方の位置で保持でき、棒状化粧料や化粧用具の突出量を調整して使用することができる。
（７）請求項５に記載された発明も前記（１）〜（６）と同様な効果が得られるとともに、スムーズに操作することができる。
【図面の簡単な説明】
【００１３】
図１乃至図７は本発明の第１の実施形態を示す説明図である。
図８及び図９は本発明の第２の実施形態を示す説明図である。
図１０乃至図１４は本発明の第３の実施形態を示す説明図である。
図１５乃至図１７は本発明の第４の実施形態を示す説明図である。
【図１】第１実施形態の収納容器の縦断面図。
【図２】皿部材の斜視図。
【図３】皿部材の縦断面図。
【図４】可動軸及び逆止弁機構の分解斜視図。
【図５】ハカマ部材の斜視図。
【図６】身部材の斜視図。
【図７】皿部材を上死点まで上昇させた状態の説明図。
【図８】第２実施形態の収納容器の縦断面図。
【図９】ハカマ部材の斜視図。
【図１０】第３実施形態の収納容器の縦断面図。
【図１１】ハカマ部材の斜視図
【図１２】皿部材を上昇させる際の空気の流れを示す説明図。
【図１３】皿部材を下降させる際の空気の流れを示す説明図。
【図１４】皿部材を上死点まで上昇させた状態の説明図。
【図１５】第４実施形態の収納容器の正面図。
【図１６】身部材の斜視図。
【図１７】皿部材を上昇させた状態の説明図。
【発明を実施するための形態】
【００１４】
以下、図面に示す本発明を実施するための形態により、本発明を詳細に説明する。
図１乃至図７に示す本発明を実施するための第１の形態において、１は本発明の化粧ブラシ、チップ、スポンジ等の化粧用具２又は棒状化粧料のいずれかを収納する収納容器である。
【００１５】
この収納容器１は、図１に示すように、化粧用具２（又は棒状化粧料）を保持する皿部材３と、該皿部材３の下部に取り付けられた内部が中空の可動軸４と、該可動軸４に挿入される挿入部５を有するハカマ部材６と、該ハカマ部材６の外周部に設けられ、前記ハカマ部材６、可動軸４及び皿部材３の外周を覆うとともに、係止部７を有する誘導溝８が形成された身部材９と、前記誘導溝８を通過して前記皿部材３に取り付けられた作動ピン１０と、前記可動軸４を介して皿部材を上方へ付勢する付勢手段１１とで構成されている。
【００１６】
皿部材３は、本実施形態では、図２及び図３に示すように上部に化粧用具２や棒状化粧料を保持する保持部１２が形成され、下端部に可動軸が嵌合する嵌合孔１３が形成された円筒状の部材である。なお、この嵌合孔１３と保持部１２の間には嵌合孔１３よりも大径の空間部１４が設けられており、保持部１２と空間部１４は連通している。
【００１７】
可動軸４は、図４に示すように、上端部が閉塞されたパイプ状の部材で、その上端部が前記空間部１４に位置するように前記嵌合孔１３により皿部材３と嵌合状態で取り付けられている。本実施形態では、嵌合により皿部材３に嵌合により可動軸４を取り付けているが、この可動軸４と皿部材３が同調して上下移動するように取り付けられていればよく、螺合、接着、溶着等により取付けてもよい。
【００１８】
また、可動軸４の上端部付近、具体的には取付状態において空間部１４に位置する部位には、中空の内部に連通する空気穴１５が形成されており、この空気穴１５から排気可能で、この空気穴１５から空気が流入しないような逆止弁機構１６が設けられている。
【００１９】
この逆止弁機構１６は、本実施形態では、ゴム等の弾性材で形成された環状の帯部材（幅広のゴムバンド）で、空気穴１５を塞ぐようにこの帯状のゴムバンドを取り付けることにより、この空気穴１５から空気を排出可能で、かつ、空気穴からの空気流入を防止している。
【００２０】
ハカマ部材６は、図５に示すように、下部に身部材９と係合する係合部１７を有するベース部１８と、該ベース部１８の略中央部から上方へ延在するように形成された挿入部５とで構成されている。
【００２１】
この挿入部５は、内部には中空部１９が形成されており、この中空部１９が挿入部５の上部まで連通しており、前記可動軸４の内部に挿入される。この挿入部５の上端部付近にはフランジ部２０が形成され、このフランジ部２０の外径は可動軸４の内径よりも若干小さい程度に形成されている。
【００２２】
挿入部５の下端部付近には、中空部１９に連通するように外周面に小径の空気流入量調節手段２１としてオリフィスが設けられており、中空部１９の内部にこの空気流入量調節手段２１から流入する空気の量を調節する機能を有している。
【００２３】
ところで、本実施形態においては、この中空部１９は挿入部５の上端まで連通しており、前記空気流入量調節手段２１は、この中空部１９を介して挿入部５の上端まで連通しているが、中空部１９を形成せず、オリフィス及びこれに連通する流路で空気流入量調節手段２１を構成し、この流路を挿入部５の上端まで連通させてもよい。
【００２４】
身部材９は、図６に示すように、略円筒形状の部材で、この外周面に略Ｚ字状の誘導溝８が形成されている。誘導溝８の上端部に皿部材３を上死点で固定する係止部８ｂを設けることができる。誘導溝８の下端部にある係止部７と逆方向（略Ｚ字状又は略逆Ｚ字状）であってもいいし、同方向（略コ字状又は略逆コ字状）であってもよい。係止部８ｂを設けることにより、使用時に押す力がかかっても、作動ピン１０を手で押えることなく化粧用具２を固定することが可能となり、使用勝手が向上する。
【００２５】
なお、本実施形態では、全体として略Ｚ字状となるように係止部７、８ｂを形成した誘導溝８としているが、前述したような略コ字状の誘導溝８あってもよく、係止部８ｂを設けない略Ｌ字状または略逆Ｌ字状の誘導溝８であっても良い。
【００２６】
誘導溝８は、本実施形態では、上端部に略水平に周方向に延在する係止部８ｂを備えるとともに、下端部に略水平に周方向に延在する係止部７を備える全体として略Ｚ字状（又は略逆Ｚ字状）の溝で、この誘導溝８を貫通して作動ピン１０が皿部材３に取り付けられる。
【００２７】
作動ピン１０は、軸部２２と操作部２３から構成されており、この軸部２２が誘導溝８を通過して皿部材３の下端部付近に形成された作動ピン取付孔２４に挿入状態で取り付けられる。ところで、この作動ピン取付孔２４は、本実施形態では、透孔状に形成されており、前記嵌合孔１３に連通している。
【００２８】
付勢手段１１は、本実施形態では、下端部が前記フランジ部２０に当接するとともに、その上端部が前記可動軸４の上端部に当接し、可動軸を上方に付勢する付勢スプリング２５と、前記空気流入量調節手段２１とで構成されている。
【００２９】
フランジ部２０の外径と可動軸４の内径は、僅かな隙間を有する程度（略同径）に形成されているので、付勢スプリング２５の付勢力によって可動軸４を上方へ付勢する際には、フランジ部２０と可動軸４の間からはほとんど空気が可動軸４内部及び中空部１９（可動軸４内部）へ流入せず負圧となる。ここで、空気流入量調節手段２１によって可動軸の４内部に流入する空気量を調節することにより、付勢スプリング２５による付勢力によって皿部材３が急上昇することを防止し、適切な速度で皿部材３を上昇させることができる。すなわち、このようにオリフィス等により可動軸４の内部の空気の流れ（可動軸４の内部への空気の流入量や流出量）を制御することにより、皿部材の上昇速度を制御することができる。
【００３０】
このような収納容器１を使用する場合の皿部材３、可動軸４等の動きを説明する。
通常状態においては、作動ピン１０の軸部２２は誘導溝８の係止部７に係止されており、化粧用具２等が突出せず、収納されている状態となっている。
【００３１】
作動ピン１０の操作部２３を使用者の指等で操作し、係止状態を解除する（作動ピン１０を誘導溝８の垂直部８ａに移動させる）と、付勢スプリング２５の付勢力によって可動軸４が自動的に上方へ移動し、これに伴い皿部材３も上方へ移動する。
【００３２】
このとき、空気流入量調節手段２１によって中空部１９に流入する空気量を調節することにより、付勢スプリング２５による付勢力によって可動軸４及び皿部材３が急上昇することを防止し、適切な速度で皿部材３を上昇させることができる。
【００３３】
皿部材３が上死点まで移動すると、図７に示すように、化粧ブラシ等の化粧用具２が露出し、これを使用することができる。
【００３４】
使用後、化粧用具２を収納する場合は、作動ピン１０の操作部を使用者の指等で操作し、係止部７まで作動ピン１０を移動させる。
【００３５】
このとき、可動軸４の内部や中空部１９の空気が排出されない場合、空気が圧縮され、陽圧となってしまうが、可動軸４の上端部付近に設けられた空気穴１５から可動軸４の内部や中空部１９の空気が排出され、使用者の指等には付勢スプリング２５の付勢力のみが伝わるため、容易に係止部７まで作動ピン１０を移動させることができる。
【００３６】
なお、逆止弁機構１６として、空気穴１５を覆うように外側から帯状のゴムバンドを取り付けているので、可動軸４が上昇する際には、この空気穴１５から空気が内部へ流入することを防止できるとともに、空気を排出する場合には、この帯状の部材が押し広げられ、空気を排出することが可能となっている。この逆止弁機構１６としては、本実施形態のような機構ではなく逆止弁等を用いてもよい。
【００３７】
[発明を実施するための異なる形態]
次に、図８乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３８】
図８及び図９に示す本発明を実施するための第２の形態において、前記本発明を実施するための第１の形態と主に異なる点は、フランジ部を形成しない挿入部５Ａを備えたハカマ部材６Ａにするとともに、空気流入量調節手段２１Ａとしてバルブを用いた付勢手段１１Ａにした点で、このような収納容器１Ａにしても、前記本発明を実施するための第１の形態の収納容器と同様な作用効果が得られる。
【００３９】
本実施形態では、挿入部５Ａの下端部（ベース部１８の上面）に付勢スプリング２５の下端部が当接するように設けられる。
【００４０】
図１０乃至図１４に示す本発明を実施するための第３の形態において、前記本発明を実施するための第１の形態と主に異なる点は、挿入部５Ｂの上端部付近にフランジ部２０を有する大径部２６が形成され、このフランジ部２０の外径を前記可動軸４の内径と略同径に形成したハカマ部材６Ｂを用い、このハカマ部材６Ｂの前記大径部２６に上下方向に貫通するように設けられた下降用空気穴２７と、この下降用空気穴２７と連通し、前記大径部２６の下端部に貫通する前記下降用空気穴よりも小径の上昇用空気穴２８と、前記皿部材３が上昇する際には下降用空気穴２７から空気が流入しないように塞ぐことができ、かつ、前記皿部材３が下降する際には前記下降用空気穴２７から空気を排出することができるパッキン２９を用いて付勢手段１１Ｂを構成した点で、このような収納容器１Ｂにしても、前記本発明を実施するための第１の形態の収納容器と同様な作用効果が得られる。
【００４１】
本実施形態においては、ハカマ部材にフランジ部を２０有するピストン形状の大径部２６が形成されており、この大径部２６に設けられた下降用空気穴２７、上昇用空気穴２８、パッキン２９、大径部２６のフランジ部２０に下端部が当接する付勢スプリング２５とで付勢手段１１Ｂを構成している。なお、この付勢スプリング２５の上端部は、可動軸４の上端部又は皿部材３に当接するように構成され、本実施形態においては、皿部材３に当接している。
【００４２】
この下降用空気穴２７は、大径部２６の上下方向に貫通する比較的大径の貫通孔で、その下端部付近の部位に、大径部２６の外周方向に分岐し、大径部２６の底面２７ａに貫通するように屈曲する小径の上昇用空気穴２８が形成されている。
【００４３】
このパッキン２９は弾性体の樹脂材等で構成されており、平面視略円形状の薄板形状に形成されており、このパッキンで下降用空気穴２７のみを大径部２６の底面側から覆うように塞いでいる。
【００４４】
このように大径部２６の底面側から覆うようにパッキン２９を設けることにより、皿部材３を上昇させる際には、図１２に示すように、可動軸４と挿入部５Ｂの間の空気は、下降用空気穴２７を通過することができず、小径の上昇用空気穴２８からのみ大径部２６の上方へ徐々に排気される。そのため、可動軸４と挿入部５の間の空間が圧縮されて高圧となり、付勢スプリング２５の付勢力を弱め、皿部材３がゆっくりと上昇する。上昇用空気穴２８は、このように皿部材３ゆっくりと上昇する程度の流量で空気が排気される寸法に形成される。なお、この排気された空気は、可動軸４及び皿部材３に設けられた空気穴１５から外部へ排出される。
【００４５】
一方、皿部材３を下降させる際には、図１３に示すように、可動軸４と挿入部５Ｂの間の空間が膨張して減圧されるとともに、下降用空気穴２７からの空気の圧力によりパッキン２９の外周部分がたわみ、下降用空気穴２７から大径部２６の上方の空間の空気が大量に流入し、付勢スプリング２５の付勢力以上の抵抗力を感じることなく、容易に皿部材３を下降させることができる。
【００４６】
このように本実施形態においては、下降用空気穴２７、上昇用空気穴２８、パッキン２９により可動軸４内部の空気の流れを制御し、皿部材３の上昇速度を制御するとともに、皿部材下降時には付勢スプリング２５の付勢力以上の抵抗力を感じることなく、容易に皿部材３を下降させることができる収納容器１Ｂを構成している。
【００４７】
ところで、本実施形態においては、パッキン２９はボス部を備える略円形状に形成されているが、平らなパッキン２９を用いてもよく、形状も円形状だけでなく、矩形状、多角形状等、様々な形状とすることができる。
【００４８】
また、本実施形態においては、大径部２６にフランジ部２０を設けたが、フランジ部２０を設けず大径部２６の外径を可動軸４の内径と略同径となるように形成してもよい。この場合、大径部２６の上面に直接付勢スプリング２５の下端部が当接する。
【００４９】
図１５乃至図１７に示す本発明を実施するための第４の形態において、前記本発明を実施するための第１の形態と主に異なる点は、作動ピン１０を係止することができる少なくとも１つ以上の中間係止部３０を有する誘導溝８Ａを備える身部材９Ａを用いた点で、このような身部材９Ａを用いた収納容器１Ｃにしても、前記本発明を実施するための第１の形態の収納容器と同様な作用効果が得られる。
【００５０】
本実施形態では、誘導溝８Ａの上端部よりの部位に、身部材９Ａの円周方向に直角に折れ曲がるように略水平状の中間係止部３０を形成し、この中間係止部３０に作動ピン１０が当接し、付勢手段１１の付勢力に抗して、この中間係止部３０で作動ピン１０が係止される。すなわち、誘導溝８Ａは正面視において、略クランク状に形成されており、溝の折れ曲がった部位が中間係止部３０となっている。このように誘導溝８Ａの中間部分で作動ピン１０を係止できることにより、皿部材３を誘導溝８Ａの上死点以外の位置でも保持できるため、口紅等の化粧品２の突出量を調整して使用することができるとともに、化粧用具２、特に化粧ブラシを用いる場合、化粧ブラシの毛量を調整して使用することができる。
【００５１】
本実施形態の収納容器１Ｃを使用する場合には、係止部７に係止されている作動ピン１０の係止状態を解除する。そうすると、付勢手段１１の付勢力により皿部材３が上昇するが、作動ピン１０が誘導溝８Ａの中間係止部３０に引っかかることで係止状態となり、上死点よりも下方で皿部材３の上昇が止まる。
【００５２】
この状態で化粧用具２等を使用してもよいし、更に化粧用具２等を突出させたい場合には、作動ピン１０を身部材９Ａの周方向へスライドさせて中間係止部３０との係止状態を解除することで、皿部材３が上死点まで上昇する。
【００５３】
ところで、作動ピン１０を指で下方へ移動させる際には中間係止部３０に作動ピン１０が引っかからないような形状とすることが望ましく、この中間係止部付近３０に傾斜部３１を形成している。このように、誘導溝１１Ａは作動ピン１０の上昇時には作動ピン１０が中間係止部３０に係止され、かつ、作動ピン１０の下降時には中間係止部３０に係止されることなく作動ピン１０を下降させることができる形状に形成することが望ましい。
【００５４】
このような形状に形成することにより、作動ピン１０をスムーズに下端部まで移動させることができ、中間係止部３０を形成したとしても使用感を高めることができる。
本実施形態では、中間係止部３０を誘導溝８Ａの上端部付近に１つのみ形成したが、中間係止部３０の位置は誘導溝８Ａの上下方向の中央部付近や中央部よりも下端部よりの部位でもよいし、中間係止部３０を複数個形成してもよく、また、係止部８ｂや中間係止部３０は左右どちらの方向に形成してもよい。
【００５５】
なお、本発明の実施形態では、空気穴や空気流入量調節手段等を用いたが、付勢スプリングの付勢力のみで適切に皿部材を上昇させることができる場合には、挿入部やフランジ部の外径と可動軸の内径の差を大きくし、この隙間から自由に空気が流入、排出されるように構成し、空気穴や空気流入量調節手段を用いなくてもよく、このような場合、挿入部の内部に中空部を形成する必要はない。また、付勢スプリングも、例えば挿入部の下端部付近のベース部に、その下端部が支持されるように設けてもよい。
【産業上の利用可能性】
【００５６】
本発明の収納容器は、口紅、リップクリーム、スチックアイシャドウ、スチックチーク、スチックファンデーション、コンシーラー、日焼け止め化粧料、アイクリーム、整髪料等の固形化した棒状化粧料や、化粧ブラシ、スポンジ等の化粧用具を収納する容器を製造する分野や化粧品分野の産業で利用される。
【符号の説明】
【００５７】
１、１Ａ、１Ｂ、１Ｃ：収納容器、  ２：化粧用具、
３：皿部材、                      ４：可動軸、
５、５Ａ、５Ｂ：挿入部、          ６、６Ａ、６Ｂ：ハカマ部材、
７：係止部、                      ８、８Ａ：誘導溝、
９、９Ａ：身部材、                １０：作動ピン、
１１、１１Ａ、１１Ｂ：付勢手段、  １２：保持部、
１３：嵌合孔、                    １４：空間部、
１５：空気穴、                    １６：逆止弁機構、
１７：係合部、                    １８：ベース部、
１９：中空部、                    ２０：フランジ部、
２１、２１Ａ：空気流入量調節手段、
２２：軸部、                      ２３：操作部、
２４：作動ピン取付孔、            ２５：付勢スプリング、
２６：大径部、                    ２７：下降用空気穴、
２８：上昇用空気穴、              ２９：パッキン、
３０：中間係止部、                ３１：傾斜部。 
【図１】
2020156830.tif 000003
【図２】
2020156830.tif 000004
【図３】
2020156830.tif 000005
【図４】
2020156830.tif 000006
【図５】
2020156830.tif 000007
【図６】
2020156830.tif 000008
【図７】
2020156830.tif 000009
【図８】
2020156830.tif 000010
【図９】
2020156830.tif 000011
【図１０】
2020156830.tif 000012
【図１１】
2020156830.tif 000013
【図１２】
2020156830.tif 000014
【図１３】
2020156830.tif 000015
【図１４】
2020156830.tif 000016
【図１５】
2020156830.tif 000017
【図１６】
2020156830.tif 000018
【図１７】
2020156830.tif 000019